【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せである表示結果組合せに応じて入賞が発生可能であるスロットマシンにおいて、
前記複数の可変表示部の何れにも表示結果が導出されるより前に、複数種類の入賞の発生を許容するか否かを決定する手段であって、該入賞の発生を許容する決定結果として第１決定結果と該第１決定結果とは異なる第２決定結果とを決定することが可能な事前決定手段と、
前記複数の可変表示部に表示結果をそれぞれ導出させるために遊技者により操作される複数の導出操作手段と、
前記事前決定手段の決定結果と前記導出操作手段の操作とに応じて前記可変表示部に表示結果を導出させる導出制御手段と、
前記事前決定手段の決定結果が前記第２決定結果であるときに導出可能な特定表示結果組合せが前記導出制御手段により導出されたときに、通常状態よりも遊技者にとって有利な有利状態に制御する有利状態制御手段と、
前記事前決定手段の決定結果が前記第２決定結果であるときにおいて有利報知条件が成立しているときに、前記複数の導出操作手段を所定の順序で操作させて前記特定表示結果組合せを導出させるための特定情報を報知する有利情報報知手段とを備え、
前記導出制御手段は、
前記事前決定手段の決定結果が前記第２決定結果であるときにおいて前記複数の導出操作手段が前記所定の順序で操作されたときに、前記特定表示結果組合せを導出させ、
前記事前決定手段の決定結果が前記第１決定結果であるときにおいても前記第２決定結果であるときにおいても前記複数の導出操作手段が前記所定の順序以外の特定の順序で操作されたときに、各々の導出操作手段の操作タイミングに関わらずに前記特定表示結果組合せとは異なる表示結果組合せであって遊技用価値が付与される所定表示結果組合せを導出させ、
前記スロットマシンは、
前記事前決定手段の決定結果が前記第１決定結果または前記第２決定結果であり、かつ前記有利情報報知手段により前記特定情報が報知されていないときにおいて前記導出操作手段が前記所定の順序で操作されたときに、遊技者に所定の不利益を生じさせることが可能である
ことを特徴とするスロットマシン。
【手続補正２】
【補正対象書類名】明細書
【補正対象項目名】０００１
【補正方法】変更
【補正の内容】
【０００１】
本発明は、スロットマシンに関し、特に導出操作手段の操作手順に応じて特定表示結果組合せが導出されることによって有利状態に制御するスロットマシンに関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、遊技の興趣を向上させることのできるスロットマシンを提供することを目的とする。
【手続補正５】
【補正対象書類名】明細書
【補正対象項目名】０００９
【補正方法】変更
【補正の内容】
【０００９】
上記目的を達成するため、本発明にかかるスロットマシンは、
各々が識別可能な複数種類の識別情報を変動表示可能な可変表示部（リール３Ｌ、３Ｃ、３Ｒ）を複数備え、前記可変表示部を変動表示した後、前記可変表示部の変動表示を停止することで表示結果を導出し、複数の可変表示部の表示結果の組合せである表示結果組合せに応じて入賞が発生可能であるスロットマシン（スロットマシン１）において、
前記複数の可変表示部の何れにも表示結果が導出されるより前に、複数種類の入賞の発生を許容するか否かを決定する手段であって、該入賞の発生を許容する決定結果として第１決定結果と該第１決定結果とは異なる第２決定結果（小役１＋小役２）とを決定することが可能な事前決定手段（ステップＳ１０２）と、
前記複数の可変表示部に表示結果をそれぞれ導出させるために遊技者により操作される複数の導出操作手段（停止ボタン１２Ｌ、１２Ｃ、１２Ｒ）と、
前記事前決定手段の決定結果と前記導出操作手段の操作とに応じて前記可変表示部に表示結果を導出させる導出制御手段（ステップＳ１０４）と、
前記事前決定手段の決定結果が前記第２決定結果であるときに導出可能な特定表示結果組合せ（ＲＴ図柄）が前記導出制御手段により導出されたときに、通常状態よりも遊技者にとって有利な有利状態（ＲＴ）に制御する有利状態制御手段（ステップＳ１０５）と、
前記事前決定手段の決定結果が前記第２決定結果であるときにおいて有利報知条件が成立しているときに、前記複数の導出操作手段を所定の順序で操作させて前記特定表示結果組合せを導出させるための特定情報を報知する有利情報報知手段（ステップＳ２２５）とを備え、
前記導出制御手段は、
前記事前決定手段の決定結果が前記第２決定結果であるときにおいて前記複数の導出操作手段が前記所定の順序で操作されたときに、前記特定表示結果組合せを導出させ（左の停止ボタン１２Ｌを３番目に操作し、且つ５番または６番の図柄が先に「ベル」のテンパイしている入賞ライン上に位置するタイミングで操作することによりＲＴ図柄が導出）、
前記事前決定手段の決定結果が前記第１決定結果であるときにおいても前記第２決定結果であるときにおいても前記複数の導出操作手段が前記所定の順序以外の特定の順序で操作されたときに、各々の導出操作手段の操作タイミングに関わらずに前記特定表示結果組合せとは異なる表示結果組合せであって遊技用価値が付与される所定表示結果組合せを導出させ、
前記スロットマシンは、
前記事前決定手段の決定結果が前記第１決定結果または前記第２決定結果であり、かつ前記有利情報報知手段により前記特定情報が報知されていないときにおいて前記導出操作手段が前記所定の順序で操作されたときに、遊技者に所定の不利益を生じさせることが可能である（左の停止ボタン１２Ｌを１番目または２番目に操作すれば取りこぼしのない小役１を取りこぼすことがある。ステップＳ２４１〜Ｓ２４３：ナビフラグが設定されていないときにはＲＴ図柄が導出されても、ＡＴフラグが設定されない）
ことを特徴とする。
【手続補正６】
【補正対象書類名】明細書
【補正対象項目名】００１０
【補正方法】変更
【補正の内容】
【００１０】
上記スロットマシンでは、表示結果組合せとして特定表示結果組合せが導出されることにより、遊技者にとって有利な有利状態に遊技状態が制御される。特定表示結果組合せは、事前決定手段の決定結果が第２決定結果であるときにおいて、複数の導出操作手段を所定の順序で操作することにより導出させることができる。もっとも、そもそも事前決定手段の決定結果が第２決定結果でなければ、複数の導出操作手段を所定の順序で操作しても、特定表示結果組合せは導出されない。
【手続補正７】
【補正対象書類名】明細書
【補正対象項目名】００１１
【補正方法】変更
【補正の内容】
【００１１】
ここで、有利報知条件が成立しているときには、事前決定手段の決定結果が第２決定結果となり、特定表示結果組合せが導出可能となると、特定情報が有利情報報知手段により報知されるので、遊技者は、報知された特定情報に従って複数の導出操作手段を所定の順序で操作すれば、表示結果組合せとして特定表示結果組合せを導出させることが可能となり、これによって有利状態に制御させるものとすることができる。一方、有利報知条件が成立していないときには、遊技者は、事前決定手段の決定結果が第２決定結果であるかどうかが分からないが、このような場合でも第２決定結果となっていれば、上記と同様の停止操作を行うことで特定表示結果組合せを導出させ、有利状態に制御させることもできる。
【手続補正８】
【補正対象書類名】明細書
【補正対象項目名】００１２
【補正方法】変更
【補正の内容】
【００１２】
このように有利報知条件が成立していないときであっても、複数の導出操作手段を所定の順序で操作することによって有利状態に制御させるチャンスはあるものの、このような停止操作を行ってしまうと、所定の不利益が生じてしまう。これにより、不利益があることを甘受しつつ有利状態への制御にトライするか、有利状態への制御にトライせずに不利益を回避するかというように遊技に戦略性が生じるので、遊技の興趣を向上させることができる。
【手続補正９】
【補正対象書類名】明細書
【補正対象項目名】００１３
【補正方法】変更
【補正の内容】
【００１３】
一方、有利報知条件が成立しているときには、事前決定手段の決定結果が第２決定結果となっていれば複数の導出操作手段を所定の順序で操作させて特定表示結果組合せを導出させるための特定情報が報知されるために、これに従って遊技者が適切な停止操作を行うことができることを前提とすれば、有利状態に制御させることができるので、特定表示結果組合せの導出により有利状態へ遊技状態を制御させるという仕様が無駄になってしまうことがない。
【手続補正１０】
【補正対象書類名】明細書
【補正対象項目名】００１４
【補正方法】変更
【補正の内容】
【００１４】
なお、前記複数の導出操作手段の操作順序としての前記所定の順序は、遊技者が特別な場合を除いて一般的に行う操作順序（いわゆる順押し）とは異なる操作順序とすることが好ましい。この場合は、遊技者が普段通りに停止操作を行っているうちに、意図せずに所定の不利益が生じてしまうことがないからである。
【手続補正１１】
【補正対象書類名】明細書
【補正対象項目名】００１５
【補正方法】変更
【補正の内容】
【００１５】
なお、前記特定表示結果組合せは、複数種類の入賞のうちの特定の種類の入賞に対応する表示結果としてもよい。また、前記特定表示結果組合せは、入賞に対応しない表示結果としてもよい。ここで、前記導出制御手段は、前記事前決定手段の決定結果が前記第２決定結果であるときに、何れの種類の入賞にも対応しない表示結果として前記特定表示結果組合せを導出させるものとすることができる。
【手続補正１２】
【補正対象書類名】明細書
【補正対象項目名】００１６
【補正方法】変更
【補正の内容】
【００１６】
後者の場合においては、前記導出制御手段が前記複数の可変表示部における識別情報の変動表示を、対応する導出操作手段の操作から予め定められた最大遅延時間（１９０ミリ秒）の範囲内で停止させるものである場合には、前記複数の導出操作手段が前記所定の順序で操作され、且つ前記複数の導出操作手段のうちの所定の導出操作手段が所定のタイミングで操作されたことを条件として前記特定表示結果組合せを導出させるものとすることができる。
【手続補正１３】
【補正対象書類名】明細書
【補正対象項目名】００１７
【補正方法】変更
【補正の内容】
【００１７】
また、前記所定の不利益は、前記有利報知条件が成立していないことを条件とするならば、前記事前決定手段の決定結果が第２決定結果であるか否かに関わらずに、生じるものとすることができる。或いは、前記有利報知条件が成立していないときに、前記事前決定手段の決定結果が第２決定結果でないことを条件として、前記所定の不利益が生じるものとすることができる。
【手続補正１４】
【補正対象書類名】明細書
【補正対象項目名】００１８
【補正方法】変更
【補正の内容】
【００１８】
また、前記有利報知条件は、ある特定の期間において該期間よりも前に成立するか否かが決定されるものとしてもよい。例えば、前記通常状態に制御される前の所定の遊技状態における抽選で、該通常状態全体に対して有利報知条件を成立させるか否かを決定するものとしてもよい。また、前記事前決定手段の決定結果が第２決定結果となる度に行われる抽選によって、前記有利報知条件を成立させるか否かを決定するものとしてもよい。
【手続補正１５】
【補正対象書類名】明細書
【補正対象項目名】００１９
【補正方法】変更
【補正の内容】
【００１９】
また、前記有利情報報知手段が報知する複数の導出操作手段を所定の順序で操作させて特定表示結果組合せを導出させるための特定情報とは、該特定表示結果組合せを導出可能であることを直接的に示す情報だけではなく、間接的に示す情報であってもよい。例えば、前記事前決定手段の決定結果が前記第２決定結果であるときに、前記特定表示結果組合せの導出が可能となる場合に、前記事前決定手段の決定結果が前記第２決定結果であることを示す情報を示すものとしてもよい。或いは、前記特定表示結果組合せを導出するために目押しをする識別情報を報知したり、目押しをする識別情報以外の識別情報を報知するものとしてもよい。また、報知の態様は、遊技者が特定表示結果組合せを導出可能であることを特定できる限り如何なるものでもよく、画像、音、光、或いは役物によるものでもよい。
【手続補正１６】
【補正対象書類名】明細書
【補正対象項目名】００２０
【補正方法】変更
【補正の内容】
【００２０】
さらに、前記導出操作手段を前記所定の順序で操作した１回あたりで生じる不利益を前記有利状態の全体で遊技者が得られる利益よりも小さくし、仮に全てのゲームで複数の導出操作手段を前記所定の順序で操作したときに生じる不利益の合計の期待値を前記有利状態の全体で遊技者が得られる利益よりも大きくすることが好ましい。これにより、ハイリスク・ハイリターンか、ローリスク・ローリターンかを選択する戦略性が生じるからである。
【手続補正１７】
【補正対象書類名】明細書
【補正対象項目名】００２１
【補正方法】変更
【補正の内容】
【００２１】
上記スロットマシンにおいて、
前記第１決定結果は、第１入賞の発生を許容する旨の決定であり、前記第２決定結果（小役１＋小役２）は、前記第１入賞の発生と該第１入賞とは異なる第２入賞の発生とを許容する旨の決定であるとしてもよく、
前記所定表示結果組合せは、前記第１入賞に対応する表示結果組合せとしてもよい。
【手続補正１８】
【補正対象書類名】明細書
【補正対象項目名】００２２
【補正方法】変更
【補正の内容】
【００２２】
この場合において、上記スロットマシンは、
前記導出操作手段が前記所定の順序以外の順序で操作されることで前記第１入賞に対応する表示結果の組合せが導出されたときに、１ゲームを開始させるのに要求される価値以上の利益であって前記第２入賞に対応する表示結果の組合せが導出されたときに生じる利益と同じ利益を遊技者に生じさせるものとしてもよい。
【手続補正１９】
【補正対象書類名】明細書
【補正対象項目名】００２３
【補正方法】変更
【補正の内容】
【００２３】
上記スロットマシンにおいて、
前記事前決定手段は、所定の特定入賞（小役１）の発生を許容するか否かを決定する特定決定手段（図１６（ｂ）：小役１、小役１＋小役２）を含んでいてもよい。この場合において、
前記導出制御手段は、前記特定入賞の発生を許容する旨が決定されているときにおいて、前記複数の導出操作手段が前記所定の順序で操作されたときに、該特定入賞に対応する表示結果組合せを導出させない制御を行う特定非導出制御手段（左の停止ボタン１２Ｌを３番目に操作し、且つ５番または６番の図柄が先に「ベル」のテンパイしている入賞ライン上に位置するタイミングで操作することにより小役１を取りこぼし）を含んでいてもよく、
前記所定の不利益は、前記特定非導出制御手段により前記特定入賞を発生させない制御が行われることとすることができる。
【手続補正２０】
【補正対象書類名】明細書
【補正対象項目名】００２４
【補正方法】変更
【補正の内容】
【００２４】
この場合には、特定表示結果組合せを導出可能な操作手順で複数の導出操作手段を操作すると、特定入賞の発生を許容する旨が決定されていても、特定入賞に対応する表示結果が導出されない（特定表示結果組合せも、もちろん導出されない）ものとなるので、導出制御手段によるスロットマシン本来の遊技性による制御で所定の不利益を生じさせるものとなる。
【手続補正２１】
【補正対象書類名】明細書
【補正対象項目名】００２５
【補正方法】変更
【補正の内容】
【００２５】
上記スロットマシンにおいて、
前記事前決定手段は、前記遊技用価値の付与を伴う複数種類の小役入賞（三択小役１〜三択小役３）の発生を許容する旨を決定する小役決定手段（図１６（ｂ）：三択小役１、三択小役２、三択小役３）を含み、
前記導出制御手段は、
前記事前決定手段により前記複数種類の小役入賞のうちの第１種類の小役入賞の発生を許容する旨が決定され、第１小役手順で前記停止操作手順が操作されたときには該第１種類の小役入賞に対応する表示結果組合せを導出させ、該第１小役手順以外の手順で前記導出操作手段が操作されたときには該第１種類の小役入賞に対応しない表示結果組合せを導出させる第１小役導出手段（例えば、三択小役１は、右のリール３Ｒについて１２番〜１８番の図柄が下段に位置するタイミングで停止ボタン１２Ｒを操作することが入賞の条件）と、
前記事前決定手段により前記複数種類の小役入賞のうちの第２種類の小役入賞の発生を許容する旨が決定され、前記第１小役手順とは異なる第２小役手順で前記導出操作手段が操作されたときには該第２種類の小役入賞に対応する表示結果組合せを導出させ、該第２小役手順以外の手順で前記導出操作手段が操作されたときには該第２種類の小役入賞に対応しない表示結果組合せを導出させる第２小役導出手段（例えば、三択小役２は、右のリール３Ｒについて５番〜１１番の図柄が下段に位置するタイミングで停止ボタン１２Ｒを操作することが入賞の条件）とを含むものとしてもよい。この場合において、
上記スロットマシンは、前記有利状態において前記小役決定手段により何れかの種類の小役入賞の発生を許容する旨が決定されているときに、該種類の小役入賞に対応する表示結果組合せを導出させるための導出操作手順を特定可能な情報を遊技者に報知する導出操作手順報知手段（ステップＳ２２０）をさらに備えるものとし、
前記所定の不利益は、前記導出操作手順報知手段に前記導出操作手順を特定可能な情報が報知されないこととすることができる（ステップＳ２４１〜Ｓ２４３：ナビフラグが設定されていないときにはＲＴ図柄が導出されても、ＡＴフラグが設定されない）。
【手続補正２２】
【補正対象書類名】明細書
【補正対象項目名】００２６
【補正方法】変更
【補正の内容】
【００２６】
この場合には、有利報知条件が成立していないときには、事前決定手段の決定結果が第２決定結果であり、複数の導出操作手段を所定の順序で操作することにより特定表示結果組合せが導出されたとしても、当該有利状態では導出操作手順が報知されなくなり、有利報知条件が成立していたときの特定表示結果組合せの導出に基づく有利状態よりも利益が小さくなってしまう。これにより、有利報知条件が成立していないときに複数の導出操作手段を所定の順序で操作することの有効性が小さくなるので、有利報知条件の成立をいっそう特別なものとして遊技者に認識させることが可能となる。
【手続補正２３】
【補正対象書類名】明細書
【補正対象項目名】００２７
【補正方法】変更
【補正の内容】
【００２７】
上記スロットマシンにおいて、
前記事前決定手段は、前記有利状態とは異なる遊技者にとって有利な特別遊技状態（ビッグボーナス、レギュラーボーナス）への移行を伴う特別入賞（ビッグボーナス（１）、ビッグボーナス（２）、レギュラーボーナス）の発生を許容するか否かを決定する特別決定手段（図１６（ｂ）：ビッグボーナス（１）、ビッグボーナス（２）、レギュラーボーナス）を含んでいてもよい。この場合において、
上記スロットマシンは、前記特別入賞が発生したときに、前記特別遊技状態に制御する特別遊技状態制御手段（ステップＳ１０５）をさらに備えるものとし、
前記有利状態制御手段は、前記特別入賞の発生を許容する旨が決定されても前記有利状態を終了させず、前記特別入賞が発生するまで、または該有利状態の開始から所定ゲーム数を消化するまで、前記有利状態に制御するものとすることができる（ＲＴは、ビッグボーナス（１）、ビッグボーナス（２）、レギュラーボーナスに当選しただけでは終了せず、ビッグボーナス（１）、ビッグボーナス（２）、レギュラーボーナスに入賞したとき、または２００ゲームを消化したときに終了する）。
【手続補正２４】
【補正対象書類名】明細書
【補正対象項目名】００２８
【補正方法】変更
【補正の内容】
【００２８】
この場合には、有利状態は、特別入賞が発生して特別遊技状態に制御されない限り、予め定められた所定ゲーム数の間継続するものとなっている。すなわち、事前決定手段により特別入賞の発生を許容する旨が決定されただけでは、有利状態が終了することはないので、所定ゲーム数の継続期間という有利状態の利益を遊技者が失わないで済む。
【手続補正２５】
【補正対象書類名】明細書
【補正対象項目名】００３１
【補正方法】変更
【補正の内容】
【００３１】
ここで、有利報知条件が成立したときには、その旨が条件成立報知手段により遊技者に報知されるが、その報知の態様も、遊技者が自らの操作で選択した演出の種類に応じて異なっているので、演出の種類の選択に対する面白味がさらに増すこととなる。さらに、特別遊技状態の終了後に有利報知条件が成立した旨を報知するか否かは、遊技者が自らの操作で選択した演出の種類に応じて異なる当選条件で抽選されるので、演出の種類の選択に対する面白味がさらに増すこととなる。また、遊技者による特別遊技状態における演出の種類の選択が、有利報知条件の成立、すなわち特定表示結果組合せを導出可能なことが特定可能な情報の報知という遊技の進行そのものにも影響することとなるので、遊技者の遊技への介入感を高め、これにより遊技の興趣を向上させることができる。
【手続補正２６】
【補正対象書類名】明細書
【補正対象項目名】０１７３
【補正方法】変更
【補正の内容】
【０１７３】
三択小役１〜３の何れかに入賞すると、８枚のメダルが払い出される。左と中のリール３Ｌ、３Ｃについては「ＪＡＣ」が５コマ以内の間隔で配置されているが、右のリール３Ｒについては「赤７」、「白７」、「ＢＡＲ」が互いに７コマ間隔で１つずつ配置されている。つまり、三択小役１〜三択小役３は、互いに同時に狙うことのできない役となっている。
【手続補正２７】
【補正対象書類名】明細書
【補正対象項目名】０１７７
【補正方法】変更
【補正の内容】
【０１７７】
遊技状態がＲＴに制御されると、後述するように通常の遊技状態よりもリプレイ当選確率が高くなり、後述するＡＴが付加されないＲＴであったとしても、メダルの払出率が１より大きくなる（すなわち、賭け数の設定のために投入するメダルの数に対して内部抽選で当選する小役に対して払い出されることとなるメダルの数の方が大きい）。これに対して、通常の遊技状態におけるメダルの払出率は、１よりも小さく、通常の遊技状態とＲＴ（ＡＴが付加されないものとする）で２００ゲームを行ったときのメダルの払い出し枚数の期待値の差には、小役１、小役２の１回分の入賞により払い出される１２枚よりも大きな差が生じることとなる。
【手続補正２８】
【補正対象書類名】明細書
【補正対象項目名】０１８９
【補正方法】変更
【補正の内容】
【０１８９】
ここで、小役１の当選フラグが設定されているとき（小役２の当選フラグが設定されている場合を含む）には、左の停止ボタン１２Ｌを１番目に停止操作すると、左のリール３Ｌについては「ベル」が最大でも７コマ間隔で配置されているので、その操作タイミングに関わらずに左のリール３Ｌの上中下段の何れかに「ベル」を停止させることができる。この場合は、中と右のリール３Ｃ、３Ｒについては「ベル」が５コマ以内の間隔で配置されているので残りのリール３Ｃ、３Ｒに対応した停止ボタン１２Ｃ、１２Ｒの操作手順（操作の順序及びタイミング）に関わらずに、小役１に必ず入賞させることができる。
【手続補正２９】
【補正対象書類名】明細書
【補正対象項目名】０２７１
【補正方法】変更
【補正の内容】
【０２７１】
一方、通常の遊技状態において遊技ナビの権利が付与されていないときには、小役１＋小役２に当選しても、遊技者にはこれが分からないが、このような場合でも実際に小役１＋小役２に当選してさえいれば、上記と同様の停止操作を行うことでＲＴ図柄を導出させ、ＲＴに遊技状態を制御させることもできる。このように通常の遊技状態において遊技ナビの権利が付与されていなくても、小役１＋小役２に当選していたならばＲＴ図柄を導出させることのできる操作手順で停止ボタン１２Ｌ、１２Ｃ、１２Ｒを操作すれば、ＲＴに遊技状態を制御させるチャンスはある。
【手続補正３０】
【補正対象書類名】明細書
【補正対象項目名】０３００
【補正方法】変更
【補正の内容】
【０３００】
また、ゲームの進行に応じて遊技制御基板１０１に対して信号を入力する第１の電子部品４５、４６、４１、４２Ｌ、４２Ｃ、４２Ｒ、４４、３ＳＬ、３ＳＣ、３ＳＲ、８１及びゲームの進行に応じて遊技制御基板１０１から信号が出力される第２の電子部品３ＭＬ、３ＭＣ、３ＭＲ、８２のうち、投入メダルセンサ４４と遊技制御基板１０１との間のコネクタ接続のみコネクタ規制部材を設けてコネクタ同士の接続の解除を規制している。すなわちその信号がなければ遊技を進行させることができない投入メダルセンサ４４（投入メダルセンサ４４からの信号が入力されなければ賭数を設定できずゲームを開始することが不可能となる）と遊技制御基板１０１との間のコネクタ接続のみコネクタ規制部材を設けてコネクタ同士の接続の解除を規制しており、他の電子部品と遊技制御基板１０１との間でコネクタ同士の接続を解除して打ち込み器具のコネクタに差し替えた場合でも、実質的に遊技を自動的に進行させることができなくなるため、最小限の規制で不正行為を防止することが可能となり、これらコネクタ同士の接続を解除するための部品点数を減らすことができる。